(57)【特許請求の範囲】
【請求項１】
電源電圧を受電する受電部と、
前記受電部によって受電された電源電圧に基づいて、予め設定された動作用電源電圧を生成する電源部と、
用紙に画像を形成する画像形成部と、
前記動作用電源電圧により動作し、前記画像形成部による画像形成を指示する画像形成指示を受け付け可能な実行モードと、前記画像形成指示を受け付けない待機モードとを択一的に実行する実行制御部と、
前記待機モードと前記実行モードとの切り換えを指示する切換指示を受け付ける切換指示受付部と、
前記待機モードと前記実行モードとのうち、起動時に実行すべきモードを示す起動モード情報を記憶する不揮発性の記憶部と、
前記電源電圧が遮断されたことを検出する電断検出部とを備え、
前記電源部は、前記電源電圧が遮断された場合であっても、予め定められた電源維持時間、前記動作用電源電圧を出力するコンデンサを含み、
前記実行制御部は、
前記動作用電源電圧が供給されない状態において前記動作用電源電圧の供給が開始されたとき、起動されて前記記憶部に記憶された起動モード情報により示されるモードを実行し、
前記待機モードを実行中に前記切換指示受付部によって前記切換指示が受け付けられたとき、前記実行モードを実行し、
前記実行モードを実行中に前記切換指示受付部によって前記切換指示が受け付けられたとき、前記待機モードを実行し、
前記待機モードの実行を開始したとき、前記電断検出部によって前記電源電圧が遮断されたことが検出された場合、前記遮断が検出されてから前記電源維持時間内に前記切替指示受付部が前記切替指示を受け付けた場合であっても前記記憶部に前記起動モード情報として前記待機モードを示す情報を記憶させず、前記待機モードの実行を開始したとき、前記電断検出部によって前記電源電圧が遮断されたことが検出されなかった場合、前記記憶部に前記起動モード情報として前記待機モードを示す情報を記憶させ、
前記実行モードの実行を開始したとき、前記電断検出部によって前記電源電圧が遮断されたことが検出された場合、前記遮断が検出されてから前記電源維持時間内に前記切替指示受付部が前記切替指示を受け付けた場合であっても前記記憶部に前記起動モード情報として前記実行モードを示す情報を記憶させず、前記実行モードの実行を開始したとき、前記電断検出部によって前記電源電圧が遮断されたことが検出されなかった場合、前記記憶部に前記起動モード情報として前記実行モードを示す情報を記憶させる画像形成装置。
【請求項２】
前記電源電圧は、交流電源電圧であり、
前記画像形成装置は、前記交流電源電圧が０Ｖを通過したことを示すゼロクロス信号を出力するゼロクロス検出回路をさらに備え、
前記電断検出部は、
前記ゼロクロス検出回路から前記ゼロクロス信号が出力されない状態が予め設定された判定時間を超えて継続した場合、前記電源電圧が遮断されたと判定し、
前記画像形成部は、
用紙に転写されたトナー像を加熱する加熱部と、
前記加熱部への前記交流電源電圧の供給をオン、オフするスイッチング素子とを含み、
前記実行制御部は、
前記実行モードとして、前記ゼロクロス信号に基づいて、前記スイッチング素子の動作を制御する請求項１記載の画像形成装置。
【発明の詳細な説明】
【技術分野】
【０００１】
本発明は、ユーザーからの画像形成指示を受け付け可能な実行モードと、画像形成指示を受け付けない待機モードとを有する画像形成装置に関する。
【背景技術】
【０００２】
近年、画像形成装置の高機能化に伴い、ユーザーが操作する電源スイッチとして、直接電源電圧を開閉する開閉スイッチではなく、ユーザーが押下したときに画像形成装置の制御部へ信号を出力する操作スイッチを備えた画像形成装置が知られている。電源スイッチで直接電源電圧を開閉しないのは、以下の理由による。
【０００３】
すなわち、高機能化された画像形成装置では、装置内部の状態を保存してから電源を遮断したり、処理途中の動作を終了してから電源を遮断したりするなどの終了処理を行う必要がある。そこで、ユーザーが電源スイッチを押下した後に、制御部が終了処理を実行するための電源供給を継続するため、電源スイッチが押下されても電源は遮断されないようになっている。
【０００４】
そして、ユーザーが電源オフするために電源スイッチを押下すると、制御部へ信号が送信される。そして、制御部は、終了処理を実行した後に電源オフに相当する待機状態（待機モード）へと移行する。すなわち、ユーザーが画像形成装置を起動するために電源スイッチをオンする場合に備えて、電源オフ状態であっても、制御部は電源スイッチからの信号を受信可能な状態で待機している。
【０００５】
すなわち、画像形成装置が待機モードになっている状態が、ユーザーからみて画像形成装置が電源オフされている状態に対応している。
【０００６】
そして、待機状態（待機モード）でユーザーが電源スイッチをオンすると、その信号が電源スイッチから制御部へ送信される。そして、制御部は、画像形成を実行可能なオン状態（実行モード）へ移行し、ユーザーからの指示に応じて画像形成を実行する。
【０００７】
このように、ユーザーからみた電源オフ状態が待機モードに対応し、ユーザーからみた電源オン状態が動作モードに対応している場合、例えば画像形成装置の電源プラグがコンセントから抜かれたり、停電が発生したりして装置への外部からの電源供給が遮断された後、再び電源が復旧したときは、電源遮断前のモードで装置が起動されることが好ましい。
【０００８】
そこで、ユーザーが電源スイッチをオフしたことを検知して、装置の状態を不揮発性記憶媒体に記憶しておき、再び装置が起動されたときに、不揮発性記憶媒体に記憶された装置状態を読み出して、読み出された状態に応じた動作を行う画像形成装置が知られている（例えば、特許文献１参照。）。
【先行技術文献】
【特許文献】
【０００９】
【特許文献１】特開２００３−２９５９５号公報
【発明の概要】
【発明が解決しようとする課題】
【００１０】
ところで、商用交流電源から、装置を動作させるための動作用電源電圧を生成する電源回路は、電源電圧を平滑するためのコンデンサを備えている。そして、コンデンサには、ある程度の電力が蓄えられている。そのため、画像形成装置への外部からの電源供給が遮断された場合であっても、しばらくの間、コンデンサに蓄えられた電力によって動作用電源電圧の供給が継続する。その結果、制御部が動作を継続する。
【００１１】
特に、待機モードでの消費電力は、例えばＥｕＰ指令（Directive on Eco-Design of Energy-using Products）の、Ｌｏｔ６（待機電力、オフモード電力消費量基準）で規定されている。Ｌｏｔ６では、待機モード時の消費電力は、０．５Ｗを超えてはならないことが規定されている。そのため、ＥｕＰ指令に対応する画像形成装置の消費電力は、非常に小さくなっている。そのため、画像形成装置への外部からの電源供給が遮断された後、数秒程度、例えば６秒程度、コンデンサに蓄えられた電力によって制御部が動作を継続する場合がある。
【００１２】
その結果、例えば上述の画像形成装置によれば、画像形成装置の電源プラグがコンセントから抜かれたり、停電が発生したりして装置への外部からの電源供給が遮断された後、例えばユーザーが意図せず電源スイッチに触れて電源スイッチから制御部へ信号が送信されると、電源供給遮断後に変更されたモードが不揮発性記憶媒体に記憶される場合がある。このような場合、再び電源が復帰して画像形成装置が起動されると、不揮発性記憶媒体に記憶されているモード、すなわち装置の電源が遮断された後に変更されたモードで装置が起動される。
【００１３】
しかしながら、ユーザーは、通常、電源プラグがコンセントから抜かれたり、停電が発生したりした後に装置の状態が変化するとは考えないから、電源復帰時に、前回電源遮断後に変更されたモードで装置が起動されると、ユーザーにとっては不自然な動作となってしまうという、不都合があった。
【００１４】
本発明の目的は、外部からの電源供給が遮断された後、再び電源供給が行われた場合、電源供給が遮断されたときのモードで起動する確実性を向上することができる画像形成装置を提供することである。
【課題を解決するための手段】
【００１５】
本発明に係る画像形成装置は、電源電圧を受電する受電部と、前記受電部によって受電された電源電圧に基づいて、予め設定された動作用電源電圧を生成する電源部と、用紙に画像を形成する画像形成部と、前記動作用電源電圧により動作し、前記画像形成部による画像形成を指示する画像形成指示を受け付け可能な実行モードと、前記画像形成指示を受け付けない待機モードとを択一的に実行する実行制御部と、前記待機モードと前記実行モードとの切り換えを指示する切換指示を受け付ける切換指示受付部と、前記待機モードと前記実行モードとのうち、起動時に実行すべきモードを示す起動モード情報を記憶する不揮発性の記憶部と、前記電源電圧が遮断されたことを検出する電断検出部とを備え、前記電源部は、前記電源電圧が遮断された場合であっても、予め定められた電源維持時間、前記動作用電源電圧を出力するコンデンサを含み、前記実行制御部は、前記動作用電源電圧が供給されない状態において前記動作用電源電圧の供給が開始されたとき、起動されて前記記憶部に記憶された起動モード情報により示されるモードを実行し、前記待機モードを実行中に前記切換指示受付部によって前記切換指示が受け付けられたとき、前記実行モードを実行し、前記実行モードを実行中に前記切換指示受付部によって前記切換指示が受け付けられたとき、前記待機モードを実行し、前記待機モードの実行を開始したとき、前記電断検出部によって前記電源電圧が遮断されたことが検出された場合、前記遮断が検出されてから前記電源維持時間内に前記切替指示受付部が前記切替指示を受け付けた場合であっても前記記憶部に前記起動モード情報として前記待機モードを示す情報を記憶させず、前記待機モードの実行を開始したとき、前記電断検出部によって前記電源電圧が遮断されたことが検出されなかった場合、前記記憶部に前記起動モード情報として前記待機モードを示す情報を記憶させ、前記実行モードの実行を開始したとき、前記電断検出部によって前記電源電圧が遮断されたことが検出された場合、前記遮断が検出されてから前記電源維持時間内に前記切替指示受付部が前記切替指示を受け付けた場合であっても前記記憶部に前記起動モード情報として前記実行モードを示す情報を記憶させず、前記実行モードの実行を開始したとき、前記電断検出部によって前記電源電圧が遮断されたことが検出されなかった場合、前記記憶部に前記起動モード情報として前記実行モードを示す情報を記憶させる。
【００１６】
この構成によれば、画像形成装置の電源プラグがコンセントから抜かれたり、停電が発生したりして装置への外部からの電源供給が遮断された後は、起動モード情報が変更されないから、外部からの電源供給が遮断された後、再び電源供給が行われた場合、電源供給が遮断されたときのモードで起動する確実性を向上することができる。
【００１７】
また、前記電源電圧は、交流電源電圧であり、前記画像形成装置は、前記交流電源電圧が０Ｖを通過したことを示すゼロクロス信号を出力するゼロクロス検出回路をさらに備え、前記電断検出部は、前記ゼロクロス検出回路から前記ゼロクロス信号が出力されない状態が予め設定された判定時間を超えて継続した場合、前記電源電圧が遮断されたと判定し、前記画像形成部は、用紙に転写されたトナー像を加熱する加熱部と、前記加熱部への前記交流電源電圧の供給をオン、オフするスイッチング素子とを含み、前記実行制御部は、前記実行モードとして、前記ゼロクロス信号に基づいて、前記スイッチング素子の動作を制御することが好ましい。
【００１８】
この構成によれば、ゼロクロス検出回路を、スイッチング素子の動作を制御する用途と、電源電圧の遮断を検出する用途とに共用することができるので、電源電圧の遮断を検出する用途のみのために別途回路を設ける場合と比べてコストを低減することが容易である。
【発明の効果】
【００１９】
このような構成の画像形成装置は、外部からの電源供給が遮断された後、再び電源供給が行われた場合、電源供給が遮断されたときのモードで起動する確実性を向上することができる。
【図面の簡単な説明】
【００２０】
【図１】本発明の一実施形態に係る画像形成装置の一例である複写機の内部構成を概略的に示す構造図である。
【図２】図１に示す複写機の電気的構成の一例を示すブロック図である。
【図３】、ヒーター、スイッチング素子、及びゼロクロス検出回路について説明するための回路図である。
【図４】図２に示す複写機の動作の一例を示すフローチャートである。
【発明を実施するための形態】
【００２１】
以下、本発明に係る実施形態を図面に基づいて説明する。なお、各図において同一の符号を付した構成は、同一の構成であることを示し、その説明を省略する。図１は、本発明の一実施形態に係る画像形成装置の一例である複写機の内部構成を概略的に示す構造図である。図２は、図１に示す複写機１の電気的構成の一例を示すブロック図である。なお、画像形成装置は、複写機に限られず、プリンタ、ファクシミリ、あるいはこれらの機能を兼ね備えた複合機等であってもよい。
【００２２】
この複写機１は、本体部２と、本体部２の左方に配設されたスタックトレイ３と、本体部２の上部に配設された原稿読取部５と、原稿読取部５の上方に配設された原稿給送部６とを有している。
【００２３】
複写機１のフロント部には、略長方形の操作パネル部４７が設けられている。操作パネル部４７は、表示部４７３と、操作キー部４７６とを備えている。表示部４７３は、例えばタッチパネル機能を有する液晶ディスプレイ等によって構成されている。操作キー部４７６は、例えばユーザーが画像形成指示を入力するためのスタートキーや、印刷部数等を入力するためのテンキー等の各種キースイッチを備えている。
【００２４】
また、例えば原稿読取部５の側部には、電源スイッチＳＷ（切換指示受付部の一例）が配設されている。
【００２５】
原稿読取部５は、ＣＣＤ（Charge Coupled Device）５１２及び露光ランプ５１１等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２６】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３とを備える。
【００２７】
本体部２は、複数の給紙カセット４６１と、給紙カセット４６１から用紙を１枚ずつ繰り出して画像形成部４０へ搬送する給紙ローラー４６２と、給紙カセット４６１から搬出されてきた用紙に画像を形成する画像形成部４０とを備える。
【００２８】
画像形成部４０は、用紙搬送部４１１、光走査装置４２、感光体ドラム４３、現像部４４、転写部４１、及び定着部４５を備えている。用紙搬送部４１１は、画像形成部４０内の用紙搬送路中に設けられ、給紙ローラー４６２によって搬送されてきた用紙を感光体ドラム４３に供給する搬送ローラー４１２や、用紙をスタックトレイ３又は排出トレイ４８まで搬送する搬送ローラー４６３，４６４等を備えている。
【００２９】
光走査装置４２は、制御部１００から出力された画像データに基づきレーザー光等を出力して感光体ドラム４３を露光することで、感光体ドラム４３上に静電潜像を形成する。現像部４４は、感光体ドラム４３上の静電潜像をトナー現像してトナー像を形成する。転写部４１は、感光体ドラム４３上のトナー像を用紙に転写する。
【００３０】
定着部４５は、トナー像が転写された用紙を加熱してトナー像を用紙に定着させる。
【００３１】
図２を参照して、定着部４５は、用紙に形成されたトナー像を溶融するための熱ローラー４５２と、この熱ローラー４５２との間で用紙を圧接しつつ搬送する圧ローラー４５１と、ヒーター４５３と、スイッチング素子４５４とを含む。ヒーター４５３は、熱ローラー４５２の内部に配設されている。ヒーター４５３は、熱ローラー４５２を加熱することによって、熱ローラー４５２と圧ローラー４５１とでニップされた用紙を加熱する。ヒーター４５３及びスイッチング素子４５４の構成の詳細については後述する。
【００３２】
電源スイッチＳＷは、例えば押しボタンスイッチである。電源スイッチＳＷは、ユーザーによって押下されるとオンし、ユーザーが手を離すとオフする。電源スイッチＳＷは、オン、オフを示す信号を、待機モード（電源オフ状態）と実行モード（電源オン状態）との間でのモード切換を指示する切替信号として制御部１００へ出力する。電源スイッチＳＷは、切換指示受付部の一例に相当している。
【００３３】
複写機１は、さらに電源プラグ７（受電部の一例）と、電源部８と、ゼロクロス検出回路９を備えている。
【００３４】
電源プラグ７は、商用交流電源に接続可能な電源プラグである。ユーザーが電源プラグ７を商用交流電源に接続すると、商用交流電源から供給された交流電源電圧Ｖａｃ（電源電圧の一例）が、電源プラグ７を介して電源部８へ供給される。
【００３５】
電源部８は、交流電源電圧Ｖａｃを、直流の動作用電源電圧Ｖｄｃに変換する電源回路である。そして、電源部８は、動作用電源電圧Ｖｄｃを複写機１内の各部へ供給する。
【００３６】
電源部８は、例えば交流電源電圧Ｖａｃの平滑用に大容量のコンデンサを備えている。そのため、電源プラグ７が商用交流電源に接続されると、電源部８のコンデンサに電荷が充電される。そして、例えば、電源プラグ７が商用交流電源から抜き取られたり、停電が発生したりするなどして交流電源電圧Ｖａｃが遮断された場合であっても、しばらくの間、例えば６秒間程度の時間、電源部８はコンデンサに充電された電荷を放電しながら動作用電源電圧Ｖｄｃの出力を継続する。
【００３７】
図３は、ヒーター４５３、スイッチング素子４５４、及びゼロクロス検出回路９について説明するための回路図である。ヒーター４５３とスイッチング素子４５４とは、直列に接続されている。そして、ヒーター４５３とスイッチング素子４５４との直列回路に、電源プラグ７によって受電された交流電源電圧Ｖａｃが印加される。スイッチング素子４５４は、制御部１００からの制御信号に応じてオン、オフする。
【００３８】
スイッチング素子４５４は、例えばトライアックである。なお、スイッチング素子４５４は、交流電源電圧Ｖａｃをスイッチングできればよく、必ずしもトライアックでなくてもよい。
【００３９】
ゼロクロス検出回路９は、交流電源電圧Ｖａｃが０Ｖを通過する（０Ｖ以外の電圧から０Ｖになり、さらに０Ｖ以外の電圧になる）ゼロクロスタイミングを検出する。そして、ゼロクロス検出回路９は、ゼロクロスタイミングを示すゼロクロス信号Ｚを、制御部１００へ出力する。
【００４０】
制御部１００は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、書き換え可能な不揮発性の記憶部１１２と、これらの周辺回路等とを備えて構成されている。制御部１００には、原稿読取部５、画像形成部４０、操作パネル部４７、電源スイッチＳＷ、ゼロクロス検出回路９、及びスイッチング素子４５４が接続されている。制御部１００は、電源部８から出力された動作用電源電圧Ｖｄｃによって動作する。
【００４１】
記憶部１１２としては、例えば、ＥＥＰＲＯＭ（Electrically Erasable and Programmable Read Only Memory）、ＦｅＲＡＭ（Ferroelectric Random Access Memory）、フラッシュメモリー等、種々の書き換え可能な不揮発性メモリーを用いることができる。
【００４２】
そして、制御部１００は、例えばＲＯＭに記憶された制御プログラムを実行することにより、実行制御部１０１、及び電断検出部１１１として機能する。
【００４３】
電断検出部１１１は、ゼロクロスタイミングを示すゼロクロス信号Ｚがゼロクロス検出回路９から出力されない状態（ゼロクロス信号Ｚの立上がりエッジ又は立ち下がりエッジが検出されない状態）が予め設定された判定時間を超えて継続した場合、交流電源電圧Ｖａｃが遮断されたと判定する。判定時間としては、例えば交流電源電圧Ｖａｃの周期が用いられる。
【００４４】
なお、電断検出部１１１は、必ずしもゼロクロス信号Ｚに基づいて交流電源電圧Ｖａｃが遮断されたことを検出する例に限らない。電断検出部１１１は、例えば、交流電源電圧Ｖａｃの電圧値を検出し、交流電源電圧Ｖａｃの実効値電圧が０Ｖになったときに交流電源電圧Ｖａｃが遮断されたと判定してもよい。
【００４５】
以下、電断検出部１１１によって交流電源電圧Ｖａｃが遮断されたと判定されたことを、電断検出有り、と称し、電断検出部１１１によって交流電源電圧Ｖａｃが遮断されたと判定されないことを、電断検出なし、と称する。
【００４６】
実行制御部１０１は、画像形成部４０による画像形成を指示する画像形成指示を受け付け可能な実行モードと、画像形成指示を受け付けない待機モードとを択一的に実行する。画像形成指示は、例えば操作キー部４７６におけるスタートキーが押下されることであってもよく、例えば図略の通信路を介して外部に接続されたパーソナルコンピューター等の端末装置から送信されるコマンドであってもよい。
【００４７】
待機モードは、例えばＥｕＰ指令のＬｏｔ６で用語が定義されている「待機モード（standby mode）」であり、「機器が主電源に接続されており、意図した働きをするために主電源からのエネルギー入力を受けている状態で、再開機能、または再開機能および使用可能な再開機能の表示のみ提供する」モードである。待機モードでは、例えば再開機能に相当する電源スイッチＳＷのオン操作は受け付けられるが、スタートキーの押下等、画像形成を指示する操作は受け付けられない。
【００４８】
実行制御部１０１は、待機モードにおいて、電源スイッチＳＷの切換信号を検出し、すなわち電源スイッチＳＷがオンされたことを検出すると、実行モードへ移行する再開機能を実行する。
【００４９】
実行モードは、例えばＥｕＰ指令のＬｏｔ６で用語が定義されている「アクティブモード（active mode）」であり、「機器が主電源に接続され、機器の意図された働きを提供する主要機能の少なくともひとつが作動されている状態を意味」するモードである。
【００５０】
実行制御部１０１は、実行モードでは、スタートキーの押下等、画像形成指示を受け付ける。そして、実行制御部１０１は、画像形成指示を受け付けた場合、例えば原稿読取部５による原稿の読み取りや、画像形成部４０による画像形成を実行させる。
【００５１】
実行制御部１０１は、実行モードにおいて、電源スイッチＳＷの切換信号を検出し、すなわち電源スイッチＳＷがオンされたことを検出すると、待機モードへ移行する。
【００５２】
実行制御部１０１は、待機モードの実行を開始したとき、電断検出有りであれば、記憶部１１２に待機モードを示す起動モード情報を記憶させない。一方、実行制御部１０１は、待機モードの実行を開始したとき、電断検出なしであれば、記憶部１１２に待機モードを示す起動モード情報を記憶させる。
【００５３】
また、実行制御部１０１は、実行モードの実行を開始したとき、電断検出有りであれば、記憶部１１２に実行モードを示す起動モード情報を記憶させない。一方、実行制御部１０１は、実行モードの実行を開始したとき、電断検出なしであれば、記憶部１１２に実行モードを示す起動モード情報を記憶させる。
【００５４】
実行制御部１０１は、実行モードの動作の一例として、ゼロクロス信号Ｚによって示されるゼロクロスタイミングと同期して、スイッチング素子４５４をオン、オフさせる動作を実行する。これにより、実行制御部１０１は、ヒーター４５３による加熱動作を制御する。このとき、実行制御部１０１は、ゼロクロスタイミングと同期してスイッチング素子４５４をオン、オフさせることで、スイッチング素子４５４を、いわゆるゼロボルトスイッチングさせることができる。その結果、スイッチング素子４５４に印加される電圧ストレスを低減することができる。
【００５５】
このように、ゼロクロス検出回路９は、スイッチング素子４５４をゼロボルトスイッチングさせるためにゼロクロスタイミングを検出する。そして、電断検出部１１１は、ゼロクロス検出回路９により検出されたゼロクロスタイミングに基づき電源断を検出する。これにより、ゼロクロス検出回路９をゼロボルトスイッチングさせる目的と、電断検出する目的とで共用できる。従って、電源断を検出するために、例えば交流電源電圧Ｖａｃを検出する電圧検出回路等、電断検出用の回路を別途設ける場合と比べてコストを低減することが容易である。
【００５６】
図４は、図２に示す複写機１の動作の一例を示すフローチャートである。まず、例えばユーザーが電源プラグ７をコンセントに差し込むなどして交流電源電圧Ｖａｃが電源部８に供給されると、電源部８は、動作用電源電圧Ｖｄｃを生成する。そして、電源部８は、動作用電源電圧Ｖｄｃを複写機１内の各部へ供給する。そうすると、動作用電源電圧Ｖｄｃの供給を受けた制御部１００が起動し、実行制御部１０１が起動される。
【００５７】
実行制御部１０１は、起動されると、まず記憶部１１２に実行モードを示す起動モード情報が記憶されているか否かを確認する（ステップＳ１）。そして、記憶部１１２に実行モードを示す起動モード情報が記憶されていなければ（ステップＳ１でＮＯ）、実行制御部１０１は、待機モードを実行するべくステップＳ２へ移行する。以下、ステップＳ２〜Ｓ４が待機モードの動作である。
【００５８】
一方、記憶部１１２に実行モードを示す起動モード情報が記憶されていれば（ステップＳ１でＹＥＳ）、実行制御部１０１は、実行モードを実行するべくステップＳ５へ移行する。以下、ステップＳ５〜Ｓ８が実行モードの動作である。
【００５９】
ステップＳ１の処理により、実行制御部１０１は、前回電源遮断されたときのモードで、起動時の動作を開始することができる。
【００６０】
ステップＳ２において待機モードが開始されると、実行制御部１０１は、電断検出部１１１による電断検出の有無を確認する（ステップＳ２）。そして、電断検出がなければ（ステップＳ２でＮＯ）、実行制御部１０１は、記憶部１１２に、起動モード情報として待機モードを示す情報を記憶させる（ステップＳ３）。一方、電断検出が有れば（ステップＳ２でＹＥＳ）、実行制御部１０１は、記憶部１１２に起動モード情報として待機モードを示す情報を記憶させることなく、ステップＳ４へ移行する。
【００６１】
以上、ステップＳ２〜Ｓ３の処理により、ステップＳ２においてユーザーが電源プラグ７をコンセントから抜いたり、停電が発生するなどしていなければ、電断検出はされないから、待機モードが開始された後に起動モード情報として待機モードを示す情報が記憶される（ステップＳ３）。その結果、ステップＳ４において電源スイッチＳＷがオンされるのを待っている待機モードの動作中に、ユーザーが電源プラグ７をコンセントから抜いたり、停電が発生するなどして交流電源電圧Ｖａｃが遮断された場合、再び起動された際には、ステップＳ１において、再び待機モードの動作を開始することができる。
【００６２】
次に、ステップＳ４において、実行制御部１０１は、電源スイッチＳＷがオンされている否かを確認する（ステップＳ４）。電源スイッチＳＷがオンされていなければ（ステップＳ４でＮＯ）、実行制御部１０１は、ステップＳ４を繰り返し、待機モードの動作を維持する。
【００６３】
一方、電源スイッチＳＷがオン（電源オン操作）されていれば（ステップＳ４でＹＥＳ）、実行制御部１０１は、実行モードを開始するべくステップＳ５へ移行する。
【００６４】
ステップＳ５において実行モードが開始されると、実行制御部１０１は、電断検出部１１１による電断検出の有無を確認する（ステップＳ５）。そして、電断検出がなければ（ステップＳ５でＮＯ）、実行制御部１０１は、記憶部１１２に、起動モード情報として実行モードを示す情報を記憶させる（ステップＳ６）。一方、電断検出が有れば（ステップＳ５でＹＥＳ）、実行制御部１０１は、記憶部１１２に、起動モード情報として実行モードを示す情報を記憶させることなく、ステップＳ７へ移行する。
【００６５】
以上、ステップＳ５〜Ｓ６の処理により、ステップＳ５の前にユーザーが電源プラグ７をコンセントから抜いたり、停電が発生するなどしていなければ、電断検出はされないから、実行モードが開始された後に起動モード情報として実行モードを示す情報が記憶される（ステップＳ６）。その結果、実行モードの動作中に、ユーザーが電源プラグ７をコンセントから抜いたり、停電が発生するなどして交流電源電圧Ｖａｃが遮断された場合、再び起動された際には、ステップＳ１において、再び実行モードの動作を開始することができる。
【００６６】
ここで、ステップＳ４において、ユーザーが電源プラグ７をコンセントから抜いたり、停電が発生するなどして電源断が発生した場合、その後、しばらくの電源維持時間、例えば６秒程度の間、電源部８は動作用電源電圧Ｖｄｃの供給を継続する。そのため、電源断が発生した後、電源維持時間内に電源スイッチＳＷがオンされると（ステップＳ４でＹＥＳ）、実行制御部１０１は、実行モードを開始するべくステップＳ５へ移行する。
【００６７】
この場合、もし仮にステップＳ６において、起動モード情報として実行モードを示す情報が記憶されると、電源スイッチＳＷがオンされたのは電源断が発生した後であるにもかかわらず、次回、複写機１が起動する際は実行モードで起動されることとなり、不自然な動作となる。
【００６８】
しかしながら、このような場合には、ステップＳ５において、電断検出有り（ステップＳ５でＹＥＳ）となり、ステップＳ６は実行されない。その結果、記憶部１１２には起動モード情報として待機モードを示す情報が記憶されたままとなる。これにより、外部からの電源供給が遮断された後、再び電源供給が行われた場合、電源供給が遮断されたときのモードで起動する確実性を向上することができる。
【００６９】
次に、ステップＳ７において、実行制御部１０１は、実行モードの処理、例えば画像形成部４０によって用紙に画像を形成させる処理を実行する（ステップＳ７）。
【００７０】
次に、ステップＳ８において、実行制御部１０１は、電源スイッチＳＷがオンされているか否かを確認する（ステップＳ８）。電源スイッチＳＷがオンされていなければ（ステップＳ８でＮＯ）、実行制御部１０１は、ステップＳ７〜８を繰り返し、実行モードの動作を維持する。
【００７１】
一方、電源スイッチＳＷがオン（電源オフ操作）されていれば（ステップＳ８でＹＥＳ）、実行制御部１０１は、待機モードを開始するべくステップＳ２へ移行する。
【００７２】
ここで、ステップＳ７〜Ｓ８において、ユーザーが電源プラグ７をコンセントから抜いたり、停電が発生するなどして電源断が発生した場合、その後、電源維持時間の間、電源部８は動作用電源電圧Ｖｄｃの供給を継続する。そのため、電源断が発生した後、電源維持時間内に電源スイッチＳＷがオンされると（ステップＳ８でＹＥＳ）、実行制御部１０１は、待機モードを開始するべくステップＳ２へ移行する。
【００７３】
この場合、もし仮にステップＳ３において、起動モード情報として待機モードを示す情報が記憶されると、電源スイッチＳＷがオン（電源オフ操作）されたのは電源断が発生した後であるにもかかわらず、次回、複写機１が起動する際は待機モードで起動されることとなり、不自然な動作となる。
【００７４】
しかしながら、このような場合には、ステップＳ２において、電断検出有り（ステップＳ２でＹＥＳ）となり、ステップＳ３は実行されない。その結果、記憶部１１２には起動モード情報として実行モードを示す情報が記憶されたままとなる。これにより、外部からの電源供給が遮断された後、再び電源供給が行われた場合、電源供給が遮断されたときのモードで起動する確実性を向上することができる。
【００７５】
以上のように、図２に示す複写機１によれば、複写機１の電源プラグ７がコンセントから抜かれたり、停電が発生したりして装置への外部からの電源供給が遮断された後は、起動モード情報が変更されないから、外部からの電源供給が遮断された後、再び電源供給が行われた場合、電源供給が遮断されたときのモードで起動する確実性を向上することができる。
【符号の説明】
【００７６】
１  複写機
２  本体部
７  電源プラグ
８  電源部
９  ゼロクロス検出回路
４０  画像形成部
４５  定着部
４７  操作パネル部
１００  制御部
１０１  実行制御部
１１１  電断検出部
１１２  記憶部
４５１  圧ローラー
４５２  熱ローラー
４５３  ヒーター
４５４  スイッチング素子
４７３  表示部
４７６  操作キー部
ＳＷ  電源スイッチ
Ｖａｃ  交流電源電圧
Ｖｄｃ  電源電圧
Ｚ  ゼロクロス信号
【図１】
0005723822.tif 000002
【図２】
0005723822.tif 000003
【図３】
0005723822.tif 000004
【図４】
0005723822.tif 000005